(57)【要約】【課題】多数種の型の光コネクタに対応が出来、かつ構成がシンプルで安価、操作も容易な光コネクタ着脱工具を提供する。【解決手段】細幅のバネ材から成る長板体１を２枚重ねて一方の端面を固定し、他方の相対向する端面を常時開放させたピンセット形状に設け、固定した一方を把手部２とし、開放した他方を挟持部３とし、当該長板体の中間部にピン６を設けて取っ手７の一端を軸支し、取っ手７の一端の軸支部を回動させて当該取っ手の一端の傾斜面８を長板体１上に当接させて取っ手７の他端を当該長板体１の把手部２の上方に突出させ、長板体１の把手部２及び前記取っ手７の他端を圧縮することにより挟持部３で光コネクタを挟持する構成とし、前記挟持部３の開放端の開き幅を、最も大きな型の光コネクタの把持部の幅よりやや大きくした。【選択図】    図１
0003130804.tif 000002
【実用新案登録請求の範囲】
【請求項１】
細幅のバネ材から成る長板体を２枚重ね、一方の相対向する端面を固定し、他方の相対向する端面を常時開放させたピンセット形状に設け、当該２枚重ねた長板体の固定した一方の相対向する箇所を把手部とし、他方の相対向する箇所を挟持部とし、当該長板体の中間部で、２枚の長板体が相互に離れている位置の各長板体に貫通孔を穿ち、下方の長板体の貫通孔に下方からピンを嵌め入れて当該ピンの下端を下方の長板体に係止し、また、当該ピンの上部を上方の前記長板体より上方に一定長突出させ、
別途、前記長板体と略同じ細幅の短板体から成る取っ手を設け、当該取っ手の一端の端面の角部を切り取って傾斜面を設け、当該取っ手の傾斜面の前端縁に凹部状の切り欠きを設け、当該切り欠きに前記上方に突出したピンの上部を入れて当該ピンの上部と前記取っ手の傾斜面を有する一端部に軸を通して当該取っ手の一端を当該２枚の長板体上で回動自在に軸支し、
当該取っ手の一端の軸支部を回動させて当該取っ手の一端の傾斜面を前記長板体上に当接させて当該取っ手の他端を当該長板体の把手部の上方に突出させ、
当該長板体の把手部及び前記取っ手の他端を圧縮することにより該長板体の挟持部で光コネクタを挟持する構成とし、
上記２枚の長板体の挟持部の開放端の開き幅を、最も大きな型の光コネクタの把持部の幅よりやや大きくしたことを特徴とする、共用型光コネクタ着脱工具。
【請求項２】
前記挟持部の各長板体の内面に小さな凹凸形状を設けたことを特徴とする、請求項１に記載の共用型光コネクタ着脱工具。
【請求項３】
前記挟持部の長板体をゴム又は合成樹脂のチューブで被覆したことを特徴とする、前記請求項１又は２に記載の共用型光コネクタ着脱工具。
【請求項４】
前記取っ手の一端を長板体上で軸支するピンを、当該長板体の長手方向の長さに対して挟持部から略２／３の位置に設けたことを特徴とする、前記請求項１、２又は３の何れかに記載の共用型光コネクタ着脱工具。
【請求項５】
前記挟持部を閉じた際、当該挟持部を形成する当該長板体の相対向する各内面は略１．５〜２ｍｍの間隙を有することを特徴とする、前記請求項１、２、３又は４の何れかに記載の共用型光コネクタ着脱工具。
【考案の詳細な説明】
【技術分野】
【０００１】
この考案は、光ファイバーケーブルを接続した光コネクタを光装置や配電盤等に取り付けたり、又は外したりする光コネクタの着脱工具に関するものである。
【背景技術】
【０００２】
昨今、情報伝達量の多さから、光ファイバーケーブルが盛んに用いられている。この光ファイバーケーブルは、光装置や配電盤などで使用されるが、これらの配電盤等では、大量の光コネクタが輻輳して接続されている。その為、確実にこれらの光コネクタを接続し、又は取外すためには、専用の工具が用いられている。
【０００３】
この様なものとして、例えば、特許文献１の光コネクタ着脱工具がある。この光コネクタ着脱工具は、長手方向一端部にグリップが固定された細長形状の工具本体と、この工具本体の前記グリップと反対側である工具本体先端部の両側に対向配置された１対の差込片と、前記工具本体の両側にて夫々工具本体の長手方向に沿って配設され、爪が先端部に突出されてなる一対の係合可動片とを備えて構成される。
【０００４】
【特許文献１】特開２００２−２３０１２号公報
【考案の開示】
【考案が解決しようとする課題】
【０００５】
しかしながら、特許文献１の光コネクタ着脱工具２０は構造が複雑であり、光コネクタ抜き去り作業では、コネクタ収納溝２９に光コネクタ１０を収納して、当該光コネクタ着脱工具２０を雌形光コネクタ１２に挿入するものであり、また、光コネクタ接続作業では、両係合可動片２６先端の爪２５を光コネクタ１０の工具係合部に係合することで、工具本体先端部２３に光コネクタ１０を保持して、光コネクタ１０を雌形光コネクタ１２に挿入するというものである。また、この光コネクタ着脱工具は、着脱出来る光コネクタのサイズが一種類のものに限定されている。光コネクタには、ＳＣ、ＬＣ、ＭＵなど各種のサイズのものがあるが、この光コネクタ着脱工具では、一種類の光コネクタしか対応が出来ない。さらに、この光コネクタ着脱工具は構成が複雑で高価である。
【０００６】
そこで、この考案はこれらの従来技術を考慮し、ＳＣ、ＭＵ、ＬＣ、又はＭＴ−ＲＪなど多数種の型の光コネクタに対応が出来、かつ構成がシンプルで安価、操作も容易な光コネクタ着脱工具を提供するものである。
【課題を解決するための手段】
【０００７】
請求項１の考案は、細幅のバネ材から成る長板体を２枚重ね、一方の相対向する端面を固定し、他方の相対向する端面を常時開放させたピンセット形状に設け、当該２枚重ねた長板体の固定した一方の相対向する箇所を把手部とし、他方の相対向する箇所を挟持部とし、当該長板体の中間部で、２枚の長板体が相互に離れている位置の各長板体に貫通孔を穿ち、下方の長板体の貫通孔に下方からピンを嵌め入れて当該ピンの下端を下方の長板体に係止し、また、当該ピンの上部を上方の前記長板体より上方に一定長突出させ、別途、前記長板体と略同じ細幅の短板体から成る取っ手を設け、当該取っ手の一端の端面の角部を切り取って傾斜面を設け、当該取っ手の傾斜面の前端縁に凹部状の切り欠きを設け、当該切り欠きに前記上方に突出したピンの上部を入れて当該ピンの上部と前記取っ手の傾斜面を有する一端部に軸を通して当該取っ手の一端を当該２枚の長板体上で回動自在に軸支し、当該取っ手の一端の軸支部を回動させてひっくり返して当該取っ手の一端の傾斜面を前記長板体上に当接させて当該取っ手の他端を当該長板体の把手部の上方に突出させ、当該長板体の把手部及び前記取っ手の他端を圧縮することにより該長板体の挟持部で光コネクタを挟持する構成とし、さらに、上記２枚の長板体の挟持部の開放端の開き幅を、最も大きな型の光コネクタの把持部の幅よりやや大きくした共用型光コネクタ着脱工具とした。
【０００８】
また、請求項２の考案は、請求項１の考案において、前記挟持部の各長板体の内面に小さな凹凸形状を設けた、共用型光コネクタ着脱工具とした。また、請求項３の考案は、請求項１又は２の考案において、前記挟持部の長板体をゴム又は合成樹脂のチューブで被覆した、共用型光コネクタ着脱工具とした。
【０００９】
また、請求項４の考案は、請求項１，２又は３のいずれかの考案において、前記取っ手の一端を長板体上で軸支するピンを、当該長板体の長手方向の長さに対して挟持部から略２／３の位置に設けた、共用型光コネクタ着脱工具とした。
【００１０】
また、請求項５の考案は、請求項１、２、３又は４のいずれかの考案において、前記挟持部を閉じた際、当該挟持部を形成する当該長板体の相対向する各内面は略１．５〜２ｍｍの間隙を有する、共用型光コネクタ着脱工具とした。
【考案の効果】
【００１１】
請求項１、２、３、４又は５の各考案によれば、ピンセット形状の２枚の長板体上に、梃子の原理を利用した取っ手を設け、これらの長板体及び取っ手を握ったり、離したりして、２枚の長板体から成る挟持部で光コネクタを挟持する構成とし、上記２枚の長板体の挟持部の開放端の開き幅を、最も大きな型の光コネクタの把持部の幅よりやや大きくしたので、この光コネクタ着脱工具一つあれば、ＳＣ、ＭＵ、ＬＣ、又はＭＴ−ＲＪなど多数種の型の光コネクタの着脱に対応することが出来、大量の光コネクタや光ファイバが輻輳した作業場所では、極めて便利なものである。また、構成がシンプルで操作も容易かつ確実に行え、さらに、安価に製造出来、使い勝手の良いものである。
【００１２】
また、請求項２の考案によれば、前記効果に加えて、前記挟持部の各長板体の内面を凹凸形状にしたので摩擦抵抗が増し、光コネクタ等を確実に把持できる。また、請求項３の考案によれば、前記効果に加えて、挟持部の長板体をゴム又は合成樹脂のチューブで被覆したので、光コネクタを確実容易に、かつ傷をつける事なく挟持する事が出来、光コネクタ着脱工具として信頼性の高いものである。なお、前記挟持部の各長板体の内面を凹凸形状にした上から熱収縮チューブを被覆した場合、前記凹凸形状が保持され、被挟持体を傷つけずに確実に把持できる。
【００１３】
また、請求項４の考案によれば、前記効果に加えて、取っ手を長板体上で軸支するピンを当該長板体の長手方向の長さに対して挟持部から略２／３の位置に設けたので、この光コネクタ着脱工具の把手部及び取っ手の他端を握る、又は離す際のバランスが良く、作業が確実かつ容易にでき、光コネクタ着脱工具として信頼性の高いものである。
【００１４】
さらに、請求項５の考案によれば、前記効果に加えて、長板体の挟持部を閉じた際、当該挟持部を形成する当該長板体の相対向する各内面は略１．５〜２ｍｍの間隙を有するようにしたので、この光コネクタ着脱工具に挟持されていた光コネクタが、外れるような事があっても、この挟持部では当該光コネクタから導出している細い光ファイバーケーブルを挟むことができず、当該光ファイバーケーブルを傷つけることが無いので、安心して作業を行うことが出来る。
【考案を実施するための最良の形態】
【００１５】
この考案は、細幅のバネ材から成る長板体を２枚重ね、一方の相対向する端面を固定し、他方の相対向する端面を常時開放させたピンセット形状に設け、当該２枚重ねた長板体の固定した一方の相対向する箇所を把手部とし、他方の相対向する箇所を挟持部とし、当該長板体の中間部で、２枚の長板体が相互に離れている位置の各長板体に貫通孔を穿ち、下方の長板体の貫通孔に下方からピンを嵌め入れて当該ピンの下端を下方の長板体に係止し、また、当該ピンの上部を上方の前記長板体より上方に一定長突出させ、別途、前記長板体と略同じ細幅の短板体から成る取っ手を設け、当該取っ手の一端の端面の角部を切り取って傾斜面を設け、当該取っ手の傾斜面の前端縁に凹部状の切り欠きを設け、当該切り欠きに前記上方に突出したピンの上部を入れて当該ピンの上部と前記取っ手の傾斜面を有する一端部を軸支する。
【００１６】
そして、当該取っ手の一端の軸支部を回動させてひっくり返して当該取っ手の一端の傾斜面を前記長板体上に当接させて当該取っ手の他端を当該長板体の把手部の上方に突出させ、当該長板体の把手部及び前記取っ手の他端を圧縮することにより該長板体の挟持部で光コネクタを挟持する構成とし、さらに、上記２枚の長板体の挟持部の開放端の開き幅を、最も大きな型の光コネクタの把持部の幅よりやや大きくした。これにより、光コネクタ着脱工具一つあれば、ＳＣ、ＭＵ、ＬＣ、又はＭＴ−ＲＪなど多数種の型の光コネクタの着脱に対応することが出来、また、構成がシンプルで操作も容易かつ確実に行え、さらに、安価に製造出来、使い勝手の良いものである
【実施例１】
【００１７】
以下、この考案の実施例を図に基づいて説明する。
図１は、この考案の実施例の光コネクタ着脱工具を使用してＳＣ光コネクタを挟持する直前の状態を示す側面図である。図２は、この考案の実施例の光コネクタ着脱工具の正面図である。図３は、この考案の実施例の光コネクタ着脱工具の平面図である。図４は、この考案の実施例の光コネクタ着脱工具を使用してＳＣ光コネクタを挟持してＳＣアダプタから引き抜きつつある状態を示す側面図である。
【００１８】
この実施例の光コネクタ着脱工具Ａは、図２及び図３に示すように、細幅のバネ材から成る長板体１を２枚重ね、一方の相対向する端面を固着し、他方の相対向する端面を常時開放するピンセット形状に設ける。これらの２枚重ねた長板体１の接続した一方の相対向する箇所を把手部２とし、他方の相対向する箇所を挟持部３とする。この挟持部３の開放端の開き幅を、最も大きな型の光コネクタの把持部の幅よりやや大きくしている。また、この挟持部３の相対向する箇所の先端部３ａの内面を小さな凹凸形状にし、また、先端に行くほど幅狭となっているが、先端縁は一定幅を有するものとなっている。さらに、この挟持部３全体を熱収縮チューブ４で被覆している。これらにより、ＳＣ光コネクタＢを確実容易に、かつ傷をつける事なく挟持する事が出来る。また、この様に熱収縮チューブ４を被せても、前記先端部３ａの小さな凹凸形状は維持されている。
【００１９】
また、この挟持部３を閉じた際、当該挟持部３を形成する当該長板体１の相対向する各内面は略１．５〜２ｍｍの間隙を有するようになっている。これにより、この光コネクタ着脱工具Ａの挟持部１に挟まれていたＳＣ光コネクタＢが、外れるような事があったとしても、この挟持部１では当該ＳＣ光コネクタＢから導出している細い光ファイバーケーブルＣ（図１参照）を挟むことができないので、当該光ファイバーケーブルＣを傷つけることが無い。
【００２０】
また、これらの重ねた２枚の長板体１の長手方向の長さに対する挟持部３から略２／３の位置の各長板体１に貫通孔５を穿ち、下方の長板体１の貫通孔５に下方からピン６を嵌め入れて当該ピン６の円盤状に設けた下部６ａを前記下方の長板体１に係止している。また、このピン６の上部を前記上方の長板体１の貫通孔５に通して当該長板体１の上方に一定長突出させ、このピン６の上方に突出した上部６ｂ（図３参照）の側面から水平方向に貫通孔を穿っている（図示省略）。
【００２１】
別途、図２及び図３に示すように、一端が一定厚を有し、前記長板体１と略同じ細幅であって、この長板体１のおよそ半分の長さの短板体から成る取っ手７を設ける。この取っ手７の一端の端面の上端角部を切り取って傾斜面８を設け、この取っ手７の傾斜面８の前端縁の中央を凹部状に切り欠き、この切り欠き８ａに前記上方に突出したピン６の上部を入れて当該ピン６の上部６ａの貫通孔とこの取っ手７の切り欠き８ａの両側に穿った孔とに軸（図示省略）を渡して軸支し、この取っ手７を当該２枚の長板体１上で回動自在にしている。
【００２２】
次に、この光コネクタ着脱工具Ａを使用して、光装置のＳＣアダプタＤにＳＣ光コネクタＢを着脱する様子を説明する。まず、図１に示すように、この取っ手７を１８０度回動させて裏返しにして取っ手７の一端の傾斜面８を前記長板体１上に当接させ、取っ手７の他端を長板体１の把手部２の上方に位置させ、取っ手７を起す。
【００２３】
そして、この長板体１の把手部２及び前記取っ手７の他端を握り（図１の白抜き小矢印９方向）、長板体１のバネ力に抗して長板体１の挟持部３を近接させ、当該挟持部３で、光ファイバＣを接続したＳＣ光コネクタＢの上端及び下端を挟持する。この光コネクタ着脱工具ＡでＳＣ光コネクタＢを挟持する際、梃子の原理を利用しているので取っ手７により少ない力でも把持できるようになっている。この様にして、光コネクタ着脱工具ＡでＳＣ光コネクタＢを挟持し、ＳＣアダプタＤ内にカチッと音がするまで挿入し（図１の白抜き大矢印１０方向）、装着する。その後、長板体１の把手部２及び前記取っ手７の他端の握りを開放すると、各長板体１のバネ力で挟持部３は開き、当該ＳＣ光コネクタＢを離す。
【００２４】
また、取り去るのは、図４に示すように、この長板体１の把手部２及び前記取っ手７の他端を握り（図４の白抜き小矢印１１方向）、当該長板体１の挟持部３を閉じてＳＣ光コネクタＢの上端及び下端を挟持してＳＣアダプタＤから引き抜く（図４の白抜き大矢印１２方向）。
【００２５】
また、前記長板体１上にピン６を設ける位置として、当該長板体の長手方向の長さに対して挟持部３から２／３の位置としているが、長板体１の把手部２及び長板体１の把手部２の上方にある取っ手７の他端を握る際の梃子の原理の支軸の位置としては、この位置がバランス的に良く、操作し易い。
【００２６】
前記実施例では、光コネクタ着脱工具Ａを使用してＳＣ光コネクタＢをＳＣアダプタに着脱したが、この光コネクタ着脱工具は、その挟持部３で、光コネクタＢの上端及び下端を挟持するものであり、また、ＳＣ光コネクタＢは、光コネクタの中では最も大きいサイズのものであり、さらに、挟持部３の相対向する箇所の先端部３ａは、一段窪ませて凹凸を設け、当該先端部の先端縁は一定幅を有するものとなっているので、この光コネクタ着脱工具Ａによれば、ＳＣ光コネクタＢの他、ＭＵ光コネクタ、ＬＣ光コネクタ又はＭＴ−ＲＪ光コネクタなど、他の光コネクタの着脱も容易に出来る。
【００２７】
また、光コネクタ着脱工具Ａを使用してＳＣ光コネクタＢの上端及び下端を挟持してＳＣアダプタに装着したが、もちろん、上端及び下端に限らず、挟持し易い方向、例えば、左端や右端などを挟持するようにしても良い。
【図面の簡単な説明】
【００２８】
【図１】この考案の実施例の光コネクタ着脱工具を使用して、アダプタに挿入する光コネクタを挟持する直前の状態を示す側面図である。
【図２】この考案の実施例の光コネクタ着脱工具の正面図である。
【図３】この考案の実施例の光コネクタ着脱工具の平面図である。
【図４】この考案の実施例の光コネクタ着脱工具を使用して光コネクタを挟持し、アダプタから引き抜きつつある状態を示す側面図である。
【符号の説明】
【００２９】
Ａ    光コネクタ着脱工具            Ｂ    ＳＣ光コネクタ
Ｃ    ＳＣ光ファイバーケーブル      Ｄ    ＳＣアダプタ
１    長板体                        ２    把手部
３    挟持部                        ４    ゴム
５    貫通孔                        ６    ピン
７    取っ手                        ８    傾斜面
【図１】
0003130804.tif 000003
【図２】
0003130804.tif 000004
【図３】
0003130804.tif 000005
【図４】
0003130804.tif 000006